【手続補正書】
【提出日】平成16年1月16日(2004.1.16)
【手続補正１】
【補正対象書類名】明細書
【補正対象項目名】全文
【補正方法】変更
【補正の内容】
【発明の名称】  現物を確認してのインターネット上での商品購入方法
【特許請求の範囲】
【請求項１】
実世界の店舗に設けられた製品ターミナルが有線または無線インターネットを通じてウェブサーバーに接続されているインターネット電子商取引システムにおいて、商品の現物の実体の確認を行った後に商品を購入する方法であって、
（ａ）ユーザー情報の入力によりユーザーを会員として登録し、
（ｂ）前記登録された会員に会員ＩＤを付与し、前記会員ＩＤに対応して仮想カートを設定し、
（ｃ）前記会員に、前記会員ＩＤを含む前記ユーザー情報が記憶された会員カードを発行し、
（ｄ）前記会員カードから読み出した前記会員ＩＤ、および、前記製品ターミナルからの選択された製品の製品ＩＤを受け取り、前記製品ＩＤを前記会員ＩＤに対応する前記仮想カートに記憶し、
（ｅ）前記会員が前記ウェブサーバーをアクセスした時に、前記仮想カートに記憶されている前記製品ＩＤに対応する製品情報を前記会員のユーザーターミナルに送信し表示し、
（ｆ）前記会員に、前記ユーザーターミナルにより前記製品情報から選択された製品の購入を許可する
各ステップを有する方法。
【請求項２】
前記製品ターミナルは、前記実店舗の各製品または各製品グループに対して提供され、
前記ステップ（ｄ）においては、
前記製品ターミナルが前記会員カードから前記会員ＩＤを読み出し、
前記製品ターミナルは前記製品ＩＤを前記会員ＩＤとともに前記ウェブサーバーに送信し、
前記ウェブサーバーは前記送信された製品ＩＤを前記会員ＩＤに対応する前記仮想カートに記憶する
請求項１に記載の方法。
【請求項３】
前記製品ターミナルは、実店舗の各製品または各製品グループに対して提供され、
前記ステップ（ｄ）においては、
前記製品ターミナルが前記会員カードより前記会員ＩＤを読み出し、当該会員ＩＤを前記製品に対応する前記製品ＩＤとともに実世界の店舗の店舗サーバーに送信し、
前記店舗サーバーは、前記製品ターミナルから送信された複数の製品ＩＤを収集して、前記製品ＩＤを前記会員ＩＤとともに前記ウェブサーバーに送信し、
前記ウェブサーバーは、前記送信された製品ＩＤを前記会員ＩＤに対応する前記仮想カートに記憶する
請求項１に記載の方法。
【請求項４】
前記製品ターミナルは、実店舗の各製品または各製品グループに対して提供され、
前記ステップ（ｄ）においては、
前記製品ターミナルが前記会員カードより前記会員ＩＤを読み出し、当該会員ＩＤを前記製品に対応する前記製品ＩＤとともに実世界の店舗の店舗サーバーに送信し、
前記店舗サーバーは、直ちに、前記製品ターミナルから送信された製品ＩＤを、前記会員ＩＤとともに前記ウェブサーバーに送信し、
前記ウェブサーバーは、前記送信された製品ＩＤを前記会員ＩＤに対応する前記仮想カートに記憶する
請求項１に記載の方法。
【請求項５】
前記製品ターミナルは、実世界の店舗の各製品のバーコードから製品ＩＤを認識するバーコード認識装置、および、前記会員カードから前記会員ＩＤを読み出す会員ＩＤ読み出し装置を有し、
前記ステップ（ｄ）においては、
前記製品ターミナルは、前記会員カードから前記会員ＩＤを読み出し、
前記製品ターミナルは、実世界の店舗において製品に供給されているバーコードから前記製品ＩＤを認識し、その後、前記製品ＩＤを前記会員ＩＤとともに前記ウェブサーバーに送信し、
前記ウェブサーバーは、前記送信された製品ＩＤを前記会員ＩＤに対応する前記仮想カートに記憶する
請求項１に記載の方法。
【請求項６】
前記製品ターミナルは、実世界の店舗の各製品のバーコードから製品ＩＤを認識するバーコード認識装置、および、前記バーコード認識装置により認識された前記製品ＩＤを前記メンバカードに書き込む製品ＩＤ書き込み装置を有し、
前記ステップ（ｄ）においては、
前記製品ターミナルは、実世界の店舗において選択された製品の前記バーコードから前記製品ＩＤを認識し、前記製品ＩＤを前記メンバカードに書き込み、
前記ユーザーターミナルは、前記会員カードに記憶されている前記製品ＩＤを読み出し、その後、前記製品ＩＤを前記ウェブサーバーに送信し、
前記ウェブサーバーは、前記送信された製品ＩＤを前記会員ＩＤに対応する前記仮想カート記憶する
請求項１に記載の方法。
【請求項７】
前記製品ターミナルは、実世界の店舗の各製品に提供されている製品ＩＤカードから製品ＩＤを読み出し、前記会員カードから前記会員ＩＤを読み出す読み取り装置を有し、
前記ステップ（ｄ）においては、
前記製品ターミナルは、前記会員カードより前記会員ＩＤを読み出し、
前記製品ターミナルは、前記製品ＩＤカードより前記製品ＩＤを読み出し、その後、前記製品ＩＤを前記会員ＩＤとともに前記ウェブサーバーに送信し、
前記ウェブサーバーは、前記送信された製品ＩＤを前記会員ＩＤに対応する前記仮想カートに記憶する
請求項１に記載の方法。
【請求項８】
実世界の店舗に設けられた製品ターミナルが有線または無線インターネットを通じてウェブサーバーに接続されているインターネット電子商取引システムにおいて、商品の現物の実体の確認を行った後に商品を購入する方法であって、
（ａ）ユーザー情報の入力によりユーザーを会員として登録し、
（ｂ）前記登録された会員に会員ＩＤを付与し、前記会員ＩＤに対応して仮想カートを設定し、
（ｃ）前記会員に、前記会員ＩＤを含む前記ユーザー情報が記憶された会員カードを発行し、
（ｄ）前記実世界の店舗に設けられた前記製品ターミナルは、前記会員カードに選択された製品の製品ＩＤを書き込み、
（ｅ）前記会員のユーザーターミナルは、前記ウェブサーバーに接続されて、前記会員カードに記憶された前記製品ＩＤを読み出し、当該製品ＩＤを前記ウェブサーバーに送信し、
（ｆ）前記送信された製品ＩＤに対応する製品情報を、前記ユーザーターミナルに送信し表示し、
（ｇ）前記ユーザーターミナルから購入が希望されたときには、前記製品情報から前記ユーザーターミナルにより選択された製品の購入を、前記会員に許可する
各ステップを有する方法。
【請求項９】
前記製品ターミナルは、前記実店舗の各製品または各製品グループに対して提供され、
前記製品ターミナルは、前記会員カードが差し出されたときに、当該会員カードに前記対応する製品ＩＤを自動的に書き込む
請求項８に記載の方法。
【請求項１０】
前記製品ターミナルは、実世界の店舗の各製品のバーコードから製品ＩＤを認識するバーコード認識装置、および、前記バーコード認識装置により認識された前記製品ＩＤを前記メンバカードに書き込む製品ＩＤ書き込み装置を有する携帯型カードライターである
請求項８に記載の方法。
【請求項１１】
前記対応する製品ＩＤを有する製品ＩＤカードが、実世界の店舗の各製品または製品グループに提供され、
前記製品ターミナルは、前記製品ＩＤカードより前記製品ＩＤを読み出し、当該製品ＩＤを前記会員カードに書き込む
請求項８に記載の方法。
【請求項１２】
実世界の店舗に設けられた製品ターミナルが有線または無線インターネットを通じてウェブサーバーに接続されているインターネット電子商取引システムにおいて、商品の現物の実体の確認を行った後に商品を購入する方法であって、
（ａ）ユーザー情報の入力によりユーザーを会員として登録し、
（ｂ）前記登録された会員に会員ＩＤを付与し、前記会員ＩＤに対応して仮想カートを設定し、
（ｃ）実世界の店舗において前記製品ターミナルに搭載されている直接入力手段を通じて入力された会員ＩＤおよび選択された製品の製品ＩＤを受け取り、前記製品ＩＤを前記会員ＩＤに対応する前記仮想カートに記憶し、
（ｄ）前記会員が前記ウェブサーバーをアクセスした時に、前記仮想カートに記憶されている前記製品ＩＤに対応する製品情報を前記会員のユーザーターミナルに送信し表示し、
（ｅ）前記会員に、前記ユーザーターミナルにより前記製品情報から選択された製品の購入を許可する
各ステップを有する方法。
【請求項１３】
前記製品ターミナルは、実店舗の各製品または各製品グループに対して提供され、
前記ステップ（ｃ）においては、
前記製品ターミナルは、前記入力された会員ＩＤを、前記選択された製品に対応する前記製品ＩＤとともに実世界の店舗の店舗サーバーに送信し、
前記店舗サーバーは、前記製品ターミナルから送信された複数の製品ＩＤを収集して、前記製品ＩＤを前記会員ＩＤとともに前記ウェブサーバーに送信し、
前記ウェブサーバーは、前記送信された製品ＩＤを前記会員ＩＤに対応する前記仮想カートに記憶する
請求項１２に記載の方法。
【請求項１４】
前記製品ターミナルは、実店舗の各製品または各製品グループに対して提供され、
前記ステップ（ｃ）においては、
前記製品ターミナルは、前記入力された会員ＩＤを、前記選択された製品に対応する前記製品ＩＤとともに実世界の店舗の店舗サーバーに送信し、
前記店舗サーバーは、直ちに、前記製品ターミナルから送信された複数の製品ＩＤを、前記会員ＩＤとともに前記ウェブサーバーに送信し、
前記ウェブサーバーは、前記送信された製品ＩＤを前記会員ＩＤに対応する前記仮想カートに記憶する
請求項１２に記載の方法。
【請求項１５】
前記製品ターミナルは、携帯型通信ターミナルであって、
前記ステップ（ｃ）においては、
前記選択された製品の前記製品ＩＤを前記携帯型通信ターミナルより受け取り、
前記携帯型通信ターミナルに対応する会員ＩＤを抽出し、前記会員ＩＤに対応する前記仮想カートに前記製品ＩＤを記憶する
請求項１２に記載の方法。
【請求項１６】
商品の現物の実体の確認を行った後にインターネット上で商品を購入する方法であって、
（ａ）ユーザー情報の入力によりユーザーを会員として登録し、
（ｂ）前記登録された会員に会員ＩＤを付与し、前記会員ＩＤに対応して仮想カートを設定し、
（ｃ）前記会員は、実世界の店舗に陳列されている製品の製品ＩＤを獲得し、
（ｄ）前記会員が前記製品ＩＤを前記ユーザーターミナルを使用することによって入力した時に、前記製品ＩＤに対応する詳細製品情報をユーザーターミナルに送信し表示する
各ステップを有する方法。
【請求項１７】
前記製品ＩＤは、店舗分類コード、製品分類コードおよび発行日を含む
請求項１〜１６のいずれかに記載の方法。
【請求項１８】
前記会員カードは、ＩＣカードである
請求項１〜１１のいずれかに記載の方法。
【請求項１９】
前記会員カードは、ＲＦカードである
請求項１〜１１のいずれかに記載の方法。
【発明の詳細な説明】
【０００１】
【技術分野】
本発明は、商品購入方法であって、買い手が、商品を、その商品の現実の実体を実世界の店舗においてチェックした後に、インターネット電子商取引システムにおいて購入することのできる商品購入方法に関わり、特に、買い手に、個人的にその商品の現実の実体についての特徴を観察し理解した後に、インターネットを通したオンラインショッピング（電子商取引）を介して商品を購入することを可能にする商品購入方法に関わる。
【０００２】
【背景技術】
一般的に、商取引においては、企業から卸売業者および小売業者を介して消費者に至る流通チャネルを構築することが要求されている。また、商品の陳列に適切な場所と同様に、消費者の要求を理解する多くの販売員が必要とされている。
しかしながら、そのような商取引は、取引の範囲および業務時間の両方がある範囲に限られている上に、販売のための場所が当然に必要であるという点において、いくつかの問題を有している。
【０００３】
近年、前述した問題は、インターネットを用いたオンラインショッピングモールの構築により幾分解決している。インターネットショッピングモールは、流通チャネルを企業から直接消費者に至るように短くする、取引の時間および場所になんら制限がない、および、事実上販売拠点はサイバースペースに移動し販売のための場所が必要ないという利益をもたらした。
電子商取引（ＥＣ）は、インターネットまたはＰＣ間通信を利用したオンラインを、製品を買うあるいは売るという行為に当てはめた。広い意味において、ＥＣは、コンピュータネットワークを通じて達成される商品およびサービスの購入、注文および広告活動等の全てを含む、
【０００４】
そのような電子商取引は、時間および場所に何ら制限がない、自分で店舗に行くという買い手の面倒さを省く、および、取引の支払いはほとんどの場合クレジットにより解決するという点において、最も便利である。それに加えて、ＥＣ（または、Ｅ−Ｃｏｍｍｅｒｃｅ）は、流通および建物を借りるためのコストが必要なく、世界中のインターネット利用者の全てが潜在的な消費者であるという点において、時折、すぐれた金の漁場と呼ばれる。ＥＣは、時には、光速での取引と考えられる（ＣＡＬＳ）。
【０００５】
そのため、インターネットあるいはＰＣ間通信ネットワークを通じた電子商取引のための大規模なショッピングモールが流行している。
しかしながら、そのようなショッピングモールを利用した取引でさえ、次のような問題を有する。
インターネットを利用した電子商取引においては、買い手は、自分で製品（または、物品）の現実の実体を見ることができず、そのため、単にインターネットを通じた製品の形や写真によって、その製品を購入するか否かを決断することとなっている。したがって、買い手は、製品の期待される品質を疑うかもしれず、これは、買い手の興味を減少させる。特に、電子商取引はサイバースペース、すなわちインターネット内で行われるため、利用者がさらなる損失を被る可能性が実世界の場合よりも大きく存在する。
【０００６】
【発明の開示】
本発明は、従来技術の問題を解決するためになされたものである。本発明の目的は、商品の現実の実体を確認した後にインターネットにおいて商品を購入する方法を提供することにあり、これにより、消費者は、自分で実際に商品を観察することによって商品の特性をチェックした後に、インターネットを利用した電子商取引によりその商品を購入すればよい。
【０００７】
【発明を実施するための最良の形態】
以下、本発明の好適な実施形態について、添付の図面を参照して詳細に説明する。
図１は、本発明が適用されるインターネット電子商取引（ＥＣ）システムを示す。
図１に示すように、ＥＣシステムは、ユーザーのためのユーザーターミナル１０、インターネットショッピングモールへのアクセスを望むユーザーがユーザーターミナル１０を利用して情報通信ネットワーク（好適にはインターネット）を介して接続するウェブサーバー２０、および、ウェブサーバー２０にリンクされ、ユーザー情報、ショッピングモールに関する情報、製品情報および広告情報のようなデータを蓄積するデータベース３０を含む。
【０００８】
ここで、ユーザーターミナル１０は、パーソナルコンピュータ（ＰＣ）、ＩＭＴ−２０００（International Mobile Telecommunication）およびＵＭＴＳ（Universal Mobile Telecommunication Service）のような次世代移動体通信端末、ＰＤＡ（Personal Digital Assistant）、ノートブック等の中の１つでよい。
しかし、前述した装置を構成するハードウェア環境は、技術的には既に良く知られている技術でしかなく、ここでは詳細には説明しない。本実施形態においては、買い手が実店舗において製品の現実の実体を観察（ショッピング）した後にインターネットショッピングモールにおいてその製品を購入するまさにその構成について、より詳細に説明する。
【０００９】
まず第１に、インターネットショッピングモールのサービスプロバイダーは、公開鍵暗号化および秘密鍵暗号化を用いることにより、購入情報やクレジットカード情報のような支払いに関する情報のインターネット上における安全な伝送および管理をするための電子カードを会員に発行する。そのような電子カードは、名刺形状でメモリ機能を有する接触式あるいは非接触式のＩＣまたはＲＦカードでよい。
【００１０】
図１に示すように、そのような電子カード（または、会員カード）を保持する買い手は、実世界の店舗であるところの実店舗に陳列されている実際の製品の機能および品質を自分で確認する。次に、その電子カードに対して、実店舗は、製品分類コード、店舗分類コード、発行日等を含む購入される製品についての製品ＩＤを発行する。この時、カードライターは、実店舗内の各製品に対して独立に提供され、買い手が電子カードをカードライターに接触させるかあるいはカードライタに挿入するかした時に、カードライターが買い手に保持されている電子カードに対してその製品の製品ＩＤを書き込むことができるようにしておくのがよい。でなければ、店員がカードライターを携帯しながら製品の製品ＩＤを書きこむようにしてもよい。
【００１１】
その後、買い手は情報通信ネットワークを通して（好適には、インターネット）ウェブサーバー２０にアクセスし、実店舗でのショッピングにより選択したその製品についての種々の詳細な情報を収集し確認し、そして最終的には、その製品の注文を出す。この場合，ユーザーターミナル１０にカードリーダが用意されており、買い手が電子カードをカードリーダに挿入したら、ユーザーターミナルに搭載されている専用プログラムが製品ＩＤをウェブサーバー２０に送信する。そして、ウェブサーバー２０は製品ＩＤを解析し、対応する製品についての詳細な情報をウェブブラウザを介してユーザーターミナルに表示する。
次に、買い手は最終的にその製品を注文するか否か決定し、そして、所定の購入手続きに従ってその製品を購入する。この場合、注文した製品に関する情報は、実店舗に通知されるとともに製品の配達のために製品製造者および配達サービスプロバイダーに通知され、製品の生産及び発送過程を介して最終的に買い手に配達される。
【００１２】
一方、代わって図２に示すように、電子カード（または会員カード）を携帯する買い手は、図１の場合と同様に、実世界の店舗である実店舗に陳列されている製品の機能および品質を確認する。しかしながら、買い手が、電子カードを各製品に対して用意されているカードライターに接触させるか挿入した時には、カードライターは対応する製品ＩＤを店舗サーバー４０に送信する。そして、店舗サーバー４０は、選択された製品全ての各製品ＩＤを収集し、そして、それらの製品ＩＤをウェブサーバー２０内において各会員に割り当てられた仮想カート内に配置する。
この点においては、各製品に対してターミナルを提供することも可能であり、そのターミナルが、自ら、その製品のＩＤを、店舗サーバー４０を通過することなく直接に、ウェブサーバー２０内において各会員に割り当てられた仮想カートに送信してもよい。この場合、そのような変形は、同じ効果を示し、したがって前の実施形態と同等に考えられるべきであることは明らかである。また、１つの製品に対して１つのターミナルを提供することに代えて、１つの製品グループまたは複数の製品に対してただ１つのターミナルを提供することもまた可能であり、これにより、買い手は対応するターミナルから所望の製品を選択し、その製品のＩＤを送信するようにしてもよい。
【００１３】
この後、買い手は、選択した製品についての種々の詳細な情報を収集し、再度製品をチェックし、最終的にその製品を注文するか否か決定するために、情報通信ネットワーク（好適にはインターネット）を通じてウェブサーバー２０にアクセスし、仮想カートをオープンすればよい。この時、ウェブサーバー２０は、製品ＩＤを解析し、その製品の詳細な情報をウェブブラウザを通じてユーザーターミナルに出力する。もちろん、買い手が、選択した製品についての種々の詳細な情報を収集し、再度製品をチェックし、最終的にその製品を注文するか否か決定するために、実店舗に設置されている店舗サーバー４０を使用してウェブサーバー２０にアクセスすることも可能である。
そして、買い手は、最終的にその製品を注文するか否か決定し、所定の購入手続きに従ってその製品を購入する。この場合、注文した製品に関する情報は、実店舗に通知されるとともに製品の配達のために製品製造者および配達サービスプロバイダーに通知され、製品の生産及び発送過程を介して最終的に買い手に配達される。
【００１４】
図３は、本発明に係る製品の現実の実体の確認をして製品を購入する方法を典型的に示す概略図である。
図３に示すように、製品の現実の実体を確認して製品を購入する方法においては、買い手は、予め、実店舗に陳列されている製品の機能および品質を観察し確認し、その後、その店舗から発行されその製品ＩＤを含む資料を受け取る。
製品ＩＤを含む資料は、名刺形状のカードまたはカタログ形態のガイドブックでよく、その一例を図４に示す。
そして、買い手は、発行された資料に記載されている製品ＩＤを使用することによってインターネット電子商取引システムよりその製品についての種々の情報を収集し、その製品を再度チェックし、そして、最終的に、その製品の購入の決断をすることについて他の人に相談した後に、その製品の注文をする。
【００１５】
この時、もし買い手がウェブサーバー２０にアクセスしたなら、ウェブサーバー２０は製品ＩＤ入力部をメイン画面に提供する。したがって、買い手は、製品ＩＤを製品ＩＤ入力部に入力するだけで、簡単に製品の詳細な情報を提供しているサイトにアクセスすることができる。
サイトにより提供される製品情報は、その製品の画像、その製品の特徴の記載、その製品の価格等のようなデータを含む。このサイトは、製品を購入するための電子支払いシステムに接続されているかもしれず、さらに、時には、製品の製造者または販売店のホームページに直接接続されている可能性がある。
製品ＩＤと詳細な製品情報との間のリンクは、製品情報とともにサービスプロバイダーによって完全に管理されることが可能である。さもなければ、店舗の管理者が、種々の必要な製品情報を製作し、その情報をアップロードすることによりウェブサーバー２０に提供するようにしてもよい。もちろん、本発明はそれらの場合に限られるものではなく、その他の変形をしてよい。
製品ＩＤは、その管理に便利なように、次のように構成される。
【００１６】
製品ＩＤ：０００００＿０００００００＿０００００
（店舗分類コード）＿（製品分類コード）＿（発行日）
【００１７】
店舗分類コードは、原則として実店舗から任意に与えられるが、製品分類コードは、原則として製造者が整理して与えられる。そのような場合においては、製造者が製品を送る前に予め製品分類コードを電子カード、製品カタログまたはバーコードに書き込んで店舗に提供し、店舗は前記製品分類コードに店舗分類コードを付加すれば製品ＩＤを生成できる。この時、実店舗に陳列される各製品のカタログは、図４に示すように構成されてよい。
【００１８】
図５は、本発明に係る、商品の現実の実体の確認を行って商品を購入する方法を典型的に示すフローチャートである。
図５に示すように、本発明に係る商品の現実の実体の確認を行って商品を購入する方法においては、サービス利用者（買い手）は、実店舗において製品の現実の実体をチェックした後に製品を購入したいと望んでいる者であり、会員として登録されるように、ウェブサーバー２０にアクセスし、本発明の方法を実行するサイトにおいてユーザー情報を入力する（ステップ５０１）。
この時、買い手は、彼または彼女自身のＩＤおよび秘密の番号を設定し、さらに購入した製品の料金を支払うために使用する口座を設定してもよい。この時、その口座は、存在する銀行の口座またはクレジットカードと提携している口座でよく、任意の現存の支払いシステムを含む概念であると理解されるべきである。クレジットカードを使用する場合には、ユーザーは、予め預金をしておかない可能性がある。
【００１９】
サイバー口座が使用される時には、預金通帳を管理し、料金を引き出すことはより簡単であり、購入しようとしている製品の料金を支払うのに十分な資金がその口座にあるか否かをチェックすることがより利用しやすい。（サイバーバンクではなく）一般的な銀行の口座を利用する場合には、製品の購入を依頼したときには口座に十分な残額があることをチェックしたのに、買い手が購入した製品の料金を引き出そうとした時には十分な残額が残っていなかったというようなトラブルが生じる可能性がある。しかし、サイバー口座では、好都合にもそのような問題は引き起こされない。
【００２０】
その後、サービスプロバイダーは、そのサイトにおいて、会員ＩＤおよび電子メールアドレスを登録した会員に与える（ステップ５０２）。また、書きこみ可能なＩＣ電子カードである会員カードが会員に発行される（ステップ５０３）。そのＩＣ電子カードは、ＥＥＰＲＯＭを具備するように形成されており、製品ＩＤがこの中に記憶される。
【００２１】
次に、会員カードを受け取った会員は、サイトと提携している実店舗において、会員が購入を希望した製品の製品ＩＤの発行を受ける（ステップ５０４）。
この時、製品ＩＤを発行する装置は、各製品または各製品グループごとに設置され、会員がＩＣ電子カードをそれに接触または挿入した時に、そのＩＣ電子カードに製品ＩＤを入力する’製品ＩＤカードライター’であってもよいし、あるいは、会員が希望した時に、製品の製品ＩＤがＩＣ電子カードに入力されるのを手伝う店員により運ばれてくる’携帯型カードライター’であってもよい。
【００２２】
携帯型カードライターは、人によって運ばれるように、キーボード、バーコード認識装置および製品ＩＤ書き込み装置のような入力装置を含んでいる。製品分類コードがバーコード認識装置またはキーボード入力装置を用いて入力された時には、製品分類コードは、店舗分類コードおよび発行日と結合されて、製品ＩＤに変換される。変換された製品ＩＤは、その後、製品ＩＤ書き込み装置によって会員のＩＣ電子カードの中に入力される。
これによって、会員は、サイトと提携している実店舗において製品を観察（ショッピング）している間に、所望の製品の製品ＩＤを獲得する。
【００２３】
実店舗において製品ＩＤを獲得した後、会員は、インターネットサービスを通してサイトにアクセスし（ステップ５０５）、ユーザーターミナル１０に具備されている’ＩＣ電子カードリーダー’にＩＣ電子カードを接触または挿入する（ステップ５０６）。これにより、ユーザーターミナル１０にインストールされているプログラムが、ＩＣ電子カードリーダーにより読まれた製品ＩＤを、会員ＩＤとともにウェブサーバー２０に送る（ステップ５０７）。
【００２４】
次に、ウェブサーバー２０は、送られた製品ＩＤを解析し、その製品の詳細な情報を、会員のユーザーターミナルのウェブブラウザを通じて表示する（ステップ５０８）。この時、ウェブサーバー２０は、好適には、データベース３０の中に製品ＩＤに対応する詳細な情報を既に保持している。
最後に、会員は、場合によっては購入することとなる製品についての詳細な情報をチェックし、その後、所定の購入手続きに従って製品の注文をする（ステップ５０９）。この時、購入手続きにおいては、会員は、注文者の情報（氏名、電子メールアドレス、電話番号、住所、等）、配送情報（受取人氏名、受取人住所、贈り物、等）、および、支払い情報（支払い方法、例えば銀行通帳外の入金またはクレジットカードの利用等）を入力する。
注文した製品に関する情報は、実店舗に通知されるとともに製品の配達のために製品製造者および配達サービスプロバイダーに通知され、製品の生産及び発送過程を介して最終的に買い手に配達される。
【００２５】
図６は、本発明の他の実施形態に係る、商品の現実の実体の確認を行って商品を購入する方法を示すフローチャートである。
図６に示すように、この実施形態の方法においては、実店舗において製品の現実の実体のチェックの後に製品の購入を希望するサービス利用者（買い手）は、ウェブサーバー２０にアクセスし、本発明の方法を実行するサイトにおいて、会員として登録されるようにユーザー情報を入力する（ステップ６０１）。
この時、買い手は、彼または彼女自身のＩＤおよび秘密の番号を設定し、さらに、購入した製品の料金を支払うために使用する口座の設定をしてもよい。
【００２６】
次に、そのサイトのサービスプロバイダーは、会員ＩＤおよび電子メールアドレスを登録した会員に付与し、同時に、各会員にショッピングモールにおける仮想保管エリアである仮想カートを割り当てる（ステップ６０２）。また、会員ＩＤおよび電子メール情報を含むＩＣ電子カードである会員カードを、会員に発行する（ステップ６０３）。そのような電子カードは、ＲＦカード、あるいは、接触式または非接触式ＩＣカードでもよく、特定のフォーマットに限定されるものではない。ＩＣ電子カードは、仮想カートへデータを入力するために使用されてもよい。ここでは、買い手がショッピングモールに会員として加入した時に、会員ＩＤおよび電子メールアドレスが買い手に付与される。
【００２７】
次に、会員カードを持っている会員は、サイトと提携している実店舗において、希望する製品に対して、その製品の製品ＩＤが仮想カートの中に入れられるように、そのカードを差し出す（ステップ６０４）。
ここで、製品ＩＤを仮想カートの中に入れる処理について詳細に説明する。
もし、会員が、ＩＣ電子カードを、図５に示すように、希望する製品に対して用意されている’製品ＩＤカードライター’または’携帯型カードライター’に接触または挿入すると、そのカードライターは、製品ＩＤを、会員ＩＤとともに店舗サーバ４０に送る。すると店舗サーバ４０は、送られた複数の製品ＩＤを集めて、その後、各会員の仮想カートの中にその製品ＩＤを入れる。あるいはまた、店舗サーバ４０は、各製品ＩＤを仮想カートに直ちに入れてもよい。この時、ウェブサーバ２０は、店舗サーバー４０から送られた製品ＩＤを、会員のユーザーＩＤを利用することによって会員の仮想カートに入れるようにしてよい。あるいはまた、店舗サーバ４０が、会員の電子メールアドレスを利用することによって、直接に、製品ＩＤを会員の仮想カートの中に入れることも可能である。
実店舗の全てのカードライター（ターミナル）は、店舗サーバ４０に内部ネットワークを通じて接続されている。携帯型ターミナルを使用する時は、内部ネットワークは無線ネットワークにすればよい。さらに、ターミナルは、ウェブサーバ２０に、それらの間で直接データ転送を行うために、店舗サーバ４０を介さずに直接に接続されてもよい。
【００２８】
前述したように、会員は、サイトと提携している実店舗に陳列している製品を観察している間に（実店舗でショッピングしている間に）、希望する製品の製品ＩＤを、彼または彼女自身の仮想カートの中に入れる。
製品ＩＤを彼または彼女自身の仮想カートに入れた後、会員は、インターネットサービスを通じてウェブサーバのサイトにアクセスし（ステップ６０５）、会員のユーザーＩＤを入力することによって仮想カートを開ける（ステップ６０６）。この時、仮想カートは、会員によって入れられた製品ＩＤを収容している。会員が製品ＩＤをクリックすると、ウェブサーバは、その製品ＩＤに対応する詳細な情報を、ユーザーターミナルのウェブブラウザを通じて出力する（ステップ６０７）。
【００２９】
最後に、会員は、場合によっては購入することとなる製品についての詳細な情報をチェックし、その後、所定の購入手続きに従ってその製品の注文をする（ステップ６０８）。この時、購入手続きにおいては、会員は、ユーザー情報（氏名、電子メールアドレス、電話番号、住所、等）、配送情報（受取人氏名、受取人住所、贈り物、等）、および、支払い情報（支払い方法、例えば銀行通帳外の入金またはクレジットカードの利用等）を入力する。
注文した製品に関する情報は、実店舗に通知されるとともに製品の配達のために製品製造者および配達サービスプロバイダーに通知され、製品の生産及び発送過程を介して最終的に買い手に配達される。
【００３０】
本発明の適用可能な例としては、”ウィンドウショッピングモール”がある。ウィンドウショッピングモールは、種々の製品が陳列されている実世界のショッピングモールを意味し、人は希望するように製品を見て回り、希望するものを見つけた時には、人は製品ＩＤを入手する。しかし、ウィンドウショッピングモールにおいては、人は、製品を見てチェックすることのみ許されており、いかなる製品の購入も実質的に許されていない。ウィンドウショッピングモールにおいて製品を購入するためには、人は、ショッピングモールにおいて具備された注文システムを利用する。
【００３１】
本発明においては、購入される製品の製品ＩＤが会員カードに発行され、会員が、その後、インターネット電子商取引システムにおいて製品ＩＤを使用することによりその製品の種々の情報を収集してチェックし、そして、会員は、実質的にその製品を購入すると思われる。しかしながら、会員カードを用意する代わりに、居留番号、または、指紋（または虹彩）認識技術が使用されてもよい。この場合、上述の例のように、会員は、希望する製品の製品ＩＤを居留番号または指紋（または虹彩）の認識を利用することによってウェブサーバー２０の仮想カートの中に入れ、ウェブサーバー２０にアクセスしてその製品の詳細な情報をチェックし、そして、所定の購入手続きに従って実質的にその製品を購入する。この変形は、前述した実施形態と同様の効果を与えるので、均等と考えられるべきである。
【００３２】
さらに、会員カードによらずに、会員に会員ＩＤを発行することも可能である。この場合、会員は、実店舗でショッピングする時、会員ＩＤおよび製品ＩＤを入力することにより、希望する製品の製品ＩＤをウェブサーバー２０の仮想カートの中に入れる。あるいはまた、会員は、実店舗から配布されているカタログまたは製品情報カードから、製品ＩＤを獲得してもよい。この場合、会員は、ウェブサーバー２０にアクセスし、製品ＩＤをウェブサーバーに入力してその製品ＩＤに対応する詳細な情報を入手し、その後、その製品を購入する。
【００３３】
希望する製品の会員ＩＤおよび製品ＩＤを入力してウェブサーバに送るために、インターネットにアクセス可能な、セルラーフォン、ＩＭＴ−２０００端末、スマートフォン、ＰＤＡ等の会員のモバイル通信端末、または、実店舗に用意されている端末が使用される。この時、会員はキーボードまたはバーコードを利用することによって会員ＩＤを入力してよい。また、製品ＩＤは、前述したように実店舗において各製品ごとに用意されている端末から自動的に送信されてよい。さらに、製品ＩＤは、名刺またはカタログのような文書から獲得されてもよい。
【００３４】
本発明について詳細に説明した。しかしながら、本発明の趣旨の範囲内の種々の変更および改変は、この詳細な説明から当業者にとっては明らかであるから、発明の好適な実施形態を示しているその詳細な記載および具体的な例は、単なる例として与えられていると考えられるべきである。
【００３５】
前述した本発明は、次のような有益な効果を与える。
第１に、買い手は、仮想商取引システムにおいて製品を購入しようとした時は、種々の実店舗から獲得した種々の製品情報を利用することができるため、買い手は、その製品を注文する前に、他の人とその製品を購入するか否かについて会話をすることが可能となる。特に、これは、買い手が、距離や時間の制約のために、店舗を訪れるのが難しい場合に、より効果的である。
【００３６】
第２に、本発明は、買い手は製品の情報を直接的に信頼感をもって収集し、また買い手はその製品の現実の実体を直接的に観察することによって製品を購入する気にされるという実世界のショッピングの長所と、買い手が製品の情報を収集し製品を購入するのに時間および場所の制約が一切ないという仮想電子商取引システムの長所とを結合する。
【００３７】
第３に、本発明を使用した時は、実世界の店舗は、倉庫が不用で陳列される製品とその製品をその上に置くためのスタンドだけが必要であるために、劇的に縮小される可能性がある。
【００３８】
第４に、現存の直接的な販売方法にとともに本発明の方法により商品を売ることにより実店舗は追加の利益を創出する可能性があるために、ＩＣ電子カードを保有する全ての会員は、実店舗の卓越した顧客である。
【００３９】
第５に、利益の追加という理由により、全ての実店舗を連携した電子商取引ネットワークに接続することも可能である。
【００４０】
第６に、製品ＩＤは、製品の情報を含み店舗から顧客に配布されるカタログの中に提供されることも可能である。
【図面の簡単な説明】
【図１】
図１は、本発明に係るインターネット電子商取引の一実施形態を示す。
【図２】
図２は、本発明に係るインターネット電子商取引の他の実施形態を示す。
【図３】
図３は、本発明に係る商品の現実の実体を確認して商品を購入する方法を示す概略図である。
【図４】
図４は、本発明において使用される名詞型ＩＤカードおよびカタログの例である。
【図５】
図５は、本発明の一実施形態に係る商品の現実の実体の確認をして商品を購入する方法を示すフローチャートである。
【図６】
図６は、本発明の他の実施形態に係る商品の現実の実体の確認をして商品を購入する方法を示すフローチャートである。